(57)【要約】【課題】不審人物が侵入してきたとき、その人物の身体的特徴を記録させるようにすることで防犯効果を高めることを目的とする。【解決手段】赤外線などにより人検知センサ１が侵入者を検知したとき、所定時間以内は、警報装置２が小さな音で警報を発し、この時間内にカメラ４による身体的特徴の記録を許容した場合は上記警報装置２の動作を止め、身体的特徴の記録を拒否した場合は不審人物と見做して警報音を大きくする。人の心理を巧みに応用して不審人物を撃退し、その防犯効果を高めたものである。【選択図】    図１
2004348407.tif 000002
【特許請求の範囲】
【請求項１】
人検知センサにより侵入者を検知し、その人検知センサの検知結果により警報装置を作動させる警報発信部と、侵入者の身体的特徴を記録する特徴記録部とを備え、前記特徴記録部が作動することで警報発信部を不動作状態とすることを特徴とする侵入者検知装置。
【請求項２】
人検知センサにより侵入者を検知し、その人検知センサの検知結果により警報装置を作動させる警報発信部と、侵入者の身体的特徴を記録する特徴記録部と、特定した人の身体的特徴を予め記録しておくための登録特徴記録部とを備え、前記特徴記録部が作動し、この特徴記録部の情報と登録特徴記録部の情報とが相関関係を有するときは警報発信部を不動作状態とすることを特徴とする侵入者検知装置。
【請求項３】
登録特徴記録部は、その記憶対象が人の顔、指紋、虹彩、声紋の少なくとも一つである請求項２記載の侵入者検知装置。
【請求項４】
人検知センサは、赤外線で人を検知するようにした請求項１から３のいずれかに記載の侵入者検知装置。
【請求項５】
特徴記録部は、その記憶対象が人の顔、指紋、虹彩、声紋の少なくとも一つである請求項１から４のいずれかに記載の侵入者検知装置。
【請求項６】
警報発信手段は音およびまたは光を発信する請求項１から５のいずれかに記載の侵入者検知装置。
【請求項７】
警報発信部の動作情報およびまたは特徴記録部の情報をセンタサーバへ送信するようにした請求項１から６のいずれかに記載の侵入者検知装置。
【請求項８】
センタサーバへ送信された情報は予め登録してある携帯端末へ送信するようにした請求項７記載の侵入者検知装置。
【請求項９】
センタサーバへ送信された情報を予め登録してある携帯端末から閲覧可能とした請求項７記載の侵入者検知装置。
【請求項１０】
警報発信部の動作情報およびまたは特徴記録部の情報を予め登録してある携帯端末へ送信するようにした請求項１から６のいずれかに記載の侵入者検知装置。
【請求項１１】
警報発信部は、人検知センサにより侵入者を検知したときには警報装置を小出力で、特徴記録部が作動しなかったときには警報装置を大出力でそれぞれ作動させるように設定した請求項１から１０のいずれかに記載の侵入者検知装置。
【請求項１２】
警報発信部は、人検知センサにより侵入者を検知したときには警報装置を小出力で、特徴記録部の情報と登録特徴記録部の情報とが相関関係を有しないときには警報装置を大出力でそれぞれ作動させるようにした請求項２から１１のいずれかに記載の侵入者検知装置。
【発明の詳細な説明】
【０００１】
【発明の属する技術分野】
本発明は、不法侵入者に対する侵入者検知装置に関するものである。
【０００２】
【従来の技術】
現在、不法侵入防止対策として様々な侵入者検知装置が提案されている。中でも、不法侵入者に対して光や音などの警報を発信し、その侵入を防止しようとするものが多数見受けられる（例えば特許文献１参照。）。
【０００３】
【特許文献１】
特開２００２−２６９６４７号公報（請求項第１項、第１図）
【０００４】
【発明が解決しようとする課題】
しかしながら、上記従来の侵入者検知装置によれば不法侵入を一応は防ぐことはできたが、その侵入者を特定できるものではなく、それらの予防という面では改善の余地があった。また不法侵入ではない場合にはカードキーなどを必要とするものであった。
【０００５】
本発明はこのような従来の課題を解決したもので、防犯特性をさらに高め、加えて、利便性のよい侵入者検知装置を提供することを目的とするものである。
【０００６】
【課題を解決するための手段】
上記従来の課題を解決するために本発明は、検知センサにより侵入者を検知し、その人検知センサの検知結果により警報装置を作動させる警報発信部と、侵入者の身体的特徴を記録する特徴記録部とを備え、前記特徴記録部が作動することで警報発信部を不動作状態とするものである。
【０００７】
これによって、不法侵入された場合にも被害を最小限に抑え、しかも不法侵入者を特定することができる。
【０００８】
【発明の実施の形態】
本発明の実施の形態は、人検知センサにより侵入者を検知し、その人検知センサの検知結果により警報装置を作動させる警報発信部と、侵入者の身体的特徴を記録する特徴記録部とを備え、前記特徴記録部が作動することで警報発信部を不動作状態とするようにしたものである。
【０００９】
したがって、不法侵入された場合にも被害を最小限に抑え、さらには不法侵入者を特定して、その後の防犯効果を高めることができる。
【００１０】
また、人検知センサにより侵入者を検知し、その人検知センサの検知結果により警報装置を作動させる警報発信部と、侵入者の身体的特徴を記録する特徴記録部と、特定した人の身体的特徴を予め記録しておくための登録特徴記録部とを備え、前記特徴記録部が作動し、この特徴記録部の情報と登録特徴記録部の情報とが相関関係を有するときは警報発信部を不動作状態とするようにしたもので、家人などと不法侵入者との区別ができ、不用意な警報発信を抑えることが可能である。
【００１１】
人検知センサとしては、赤外線を用いるのが一般的で、また特徴記録部、および、登録特徴記録部の記憶対象としては、人の顔、指紋、虹彩、声紋の少なくとも一つが、さらに警報発信手段は音およびまたは光を発信することが考えられるであろう。
【００１２】
さらに、警報発信部の動作情報や特徴記録部の情報をセンタサーバへ送信するようにしておけば、不法侵入者に対する策が迅速にできるものである。
【００１３】
好ましくは、より利便性を高めるために、センタサーバへ送信された情報を予め登録してある携帯端末へ送信するようにしたり、センタサーバへ送信された情報を予め登録してある携帯端末から閲覧可能とする。
【００１４】
人検知センサにより侵入者を検知したときには、警報発信部が警報装置を小出力で、特徴記録部が作動しなかったときおよびまたはこの特徴記録部の情報と登録特徴記録部の情報とが相関関係を有しないときには、警報発信部が警報装置を大出力でそれぞれ作動するように設定しておけば、不法侵入者撃退面で有効である。
【００１５】
【実施例】
以下本発明の実施例を図面を参照して説明する。
【００１６】
（実施例１）
図１において、住居内には、侵入者を例えば赤外線を用いて検知する侵入検知センサ１、その侵入検知センサ１の検知信号を受け、警報発信手段である警報装置２の作動を制御する処理装置３、侵入者の身体的特徴を記憶する、例えば写真撮影用のカメラ４とが設置されており、これら各装置の間はリード線などによって接続され、データのやり取りが行なわれるようにしてある。
【００１７】
また処理装置３のデータは電灯線などを通してセンタサーバ５へと送られ、必要であれば、そこからさらに特定の人物の有する携帯端末６などに無線で送るようにしてある。
【００１８】
図２は処理装置３を示し、そのセンサ入力部７は前記侵入検知センサ１のセンサ信号を受ける箇所であり、特徴記録部８は住居内に設置した前記カメラ４が撮影した侵入者の顔映像を受信する箇所となる。
【００１９】
さらに上記センサ入力部７と特徴記録部８が発した信号を受信する箇所が警報発信部９となる。また警報通知送信部１０は外部のセンタサーバ５などと信号のやり取りを行なう箇所である。
【００２０】
そして上記警報発信部９は警報通知送信部１０、および、外部の警報装置２との交信を行なう。
【００２１】
図３は上記実施例のフローチャートを示し、まず住居内に人が侵入すると、侵入検知センサ１がこれを検知する。（ＳＴ１）。
【００２２】
この検知信号は処理装置３のセンサ入力部７へ送信され、警報発信部９へと伝わる。
【００２３】
上記警報発信部９は信号を受けると同時に警報装置２へ信号を発信し、それを受けた警報装置２はまず比較的小さなベル音、ビープ音などで侵入者への警告を行なう。（ＳＴ２）。
【００２４】
同時に、上記警報発信部９は侵入者への音声メッセージを流す。このメッセージの内容は例えば、「３０秒以内に設置カメラで顔写真を撮らなければ、センタへの通報を開始します。」というものである。（ＳＴ３）。
【００２５】
このメッセージにあるように、警報発信部９には予め制限時間なるものを設定しておく。（ＳＴ４）。
【００２６】
そしてその時間内にカメラ４で撮影した侵入者の特徴データが特徴記録部８を通して入ってこない場合は、再度警報装置２の警報鳴動音を大きくし、警報通知送信部１０へと信号を入力する。（ＳＴ５）。
【００２７】
この警報通知送信部１０は電話回線や電灯線により外部のセンタサーバ５へとつながっており、警報通知送信部１０からの信号があった場合には侵入者があった旨を通報する。
【００２８】
つまり、侵入者がメッセージの通りに写真撮影をせず、猶予時間が経過した場合にはセンタサーバ５に通報がいき、警報鳴動音が住居外まで鳴り響くこととなる。
【００２９】
なおセンタサーバ５の設置場所はどこでもよく、またその形態にこだわるものではなく、その他の場所や様々な形態の受信可能なものに通報可能とする。例えば通報先としては住居人やその他設定を行なった人物の携帯端末、住居管理者、マンション管理人、警備会社、警察などが挙げられる。
【００３０】
次に侵入者が上記猶予時間内にカメラ４で自分自身の顔写真を撮影した場合は（ＳＴ６）、その特徴データの取込記録が処理装置３の特徴記録部８にて行なわれる。（ＳＴ７）。
【００３１】
その特徴データは警報発信部９へと送られ、それを信号として警報装置２の警報が停止する。（ＳＴ８）。
【００３２】
そして、警報発信部９へと送信された特徴データは万が一の故障を考え、警報通知送信部１０を通じて外部のセンタサーバ５へと送られ、初期状態へと戻る。
【００３３】
なお、特徴データはそのまま処理装置３内の特徴記録部８に記録させたまま、記録したという信号のみを警報発信部９へと送ってもよい。
【００３４】
通常、侵入者は住居などに侵入する際、警報などが鳴り響くことを嫌う。本実施例１では侵入検知センサ１が作動し、警報が鳴った後も猶予時間が与えられる。この猶予時間によって、警報が大きくなることを嫌う侵入者の逃走が期待でき、盗難被害を最小限に抑えることができる。
【００３５】
また、侵入者はこの猶予時間内に自分自身の顔写真の撮影を求められる。現場で顔写真を取ることは侵入者にとって最も避けたいことであるので、侵入者は警報を止めることができない仕組みになっている。
【００３６】
例え、写真を撮ったとしても、その特徴データはすぐさまセンタサーバ５へと送られることとなり、侵入者の逮捕が容易となる。
【００３７】
また上記の実施例１によれば、不法侵入ではない場合にも簡単に警報の発信を停止することができる。
【００３８】
すなわち、上記構成によれば、カメラ４で顔写真を撮影した時点で警報は鳴り止む。つまりその住居に住む者やその他の人物であってもわずらわしいキー操作や、警報解除のための鍵を持たずとも容易に警報を止めることができる。
【００３９】
（実施例２）
図４に示すものは、特定した人の身体的特徴を予め登録特徴記録部１１に記憶させておき、この情報とカメラ４からの出力を受ける特徴記録部８の情報とを特徴照合部１２で照合し、その結果情報が相関関係を有しないときは、つまり不審者の侵入があった場合は、警報発信部９を動作させ、警報装置２で警報を発するようにしたものである。
【００４０】
登録特徴記録部１１に記憶されている情報と特徴記録部８の情報とが相関関係を有するとき、すなわち、家人などの場合は、警報発信部９が不動作のままであり、警報を発しない。
【００４１】
したがって、不用意な警報の発生がなく、実使用に適合した侵入者検知装置とすることができるものである。
【００４２】
図５はそのフローチャートであり、まず住居内に人が侵入すると、侵入検知センサ１がこれを検知する。（ＳＴ１１）。
【００４３】
この検知信号は処理装置３のセンサ入力部７へ送信され、警報発信部９へと伝わる。
【００４４】
上記警報発信部９は信号を受けると同時に警報装置２へ信号を発信し、それを受けた警報装置２はまず比較的小さなベル音、ビープ音などで侵入者への警告を行なう。（ＳＴ１２）。
【００４５】
警報発信部９には予め制限時間なるものを設定しておく。（ＳＴ１３）。
【００４６】
そしてその時間内にカメラなどで撮影した侵入者の特徴データが特徴記録部８を通して入ってこない場合は、再度警報装置２の警報鳴動音を大きくし、警報通知送信部１０へと信号を入力する。（ＳＴ１４）。
【００４７】
次に侵入者が上記猶予時間内にカメラなどで自分自身の顔写真を撮影した場合は、その特徴データの取込記録が処理装置３の特徴記録部８にて行なわれる。（ＳＴ１５）。
【００４８】
次いで、この特徴記録部８の情報と登録特徴記録部１１に記憶されている情報との比較がなされ（ＳＴ１６、ＳＴ１７）、相関関係がある場合には警報発信部９を不動作とする。（ＳＴ１８）。
【００４９】
一方、特徴記録部８の情報と登録特徴記録部１１に記憶されている情報との間に何らの相関関係がない場合には、ＳＴ１３に戻り、結局、時間切れによりＳＴ１４に至り、警報装置２の警報鳴動音が大きくなるものである。
【００５０】
なお、侵入者の特徴はカメラでの撮影に限らず、指紋、声紋、虹彩などで識別してもよく、安全を期すためにそれらを組み合わせたものも十分考えられるであろう。もちろん、実施例２の登録特徴記録部１１にも特徴記録部８の記憶対象となる身体的特徴が記憶されている。
【００５１】
また、侵入者へのメッセージも、音声によるメッセージに限らず画像、映像、文字表示など、メッセージを伝えられるものであればよい。
【００５２】
さらに、センタサーバへ送信された情報は、予め登録してある携帯端末へ送信するようにしておくとか、予め登録してある携帯端末から閲覧できるようにしておけば、防犯初動作などが迅速にできることとなる。
【００５３】
予め登録してある携帯端末へ送信は警報発信部およびまたは特徴記録部の情報であってもよい。
【００５４】
【発明の効果】
以上説明したように本発明の侵入者検知装置は、人検知センサにより侵入者を検知し、その人検知センサの検知結果により警報装置を作動させる警報発信部と、侵入者の身体的特徴を記録する特徴記録部とを備え、前記特徴記録部が作動することで警報発信部を不動作状態とするようにしたので、人の心情を巧みに利用した防犯が可能である。
【００５５】
また、人検知センサにより侵入者を検知し、その人検知センサの検知結果により警報装置を作動させる警報発信部と、侵入者の身体的特徴を記録する特徴記録部と、特定した人の身体的特徴を予め記録しておくための登録特徴記録部とを備え、前記特徴記録部が作動し、この特徴記録部の情報と登録特徴記録部の情報とが相関関係を有するときは警報発信部を不動作状態とすることで、家人などには負担とならない効果も奏するものである。
【００５６】
特徴記録部などの記憶対象を人の顔、指紋、虹彩、声紋の少なくとも一つとしたことにより、不審人物の特定が正確にでき、誤動作などを防止できる。
【００５７】
また、センタサーバへ送信された情報を予め登録してある携帯端末へ送信するようにしたり、センタサーバへ送信された情報を予め登録してある携帯端末から閲覧可能としたり、或いは、  警報発信部の動作情報およびまたは特徴記録部の情報を予め登録してある携帯端末へ送信するようにしておけば、防犯の初期動作などが速やかに行えることとなる。
【図面の簡単な説明】
【図１】本発明の実施例１を示す侵入者検知装置の概略構成図
【図２】同ブロック図
【図３】同フローチャート
【図４】本発明の実施例２を示す侵入者検知装置の概略構成図
【図５】同フローチャート
【符号の説明】
１    人体検知センサ
２    警報装置
３    制御装置
４    カメラ
５    センタサーバ
６    携帯端末
７    センサ入力部
８    特徴記録部
９    警報発信部
１０    警報通知発信部
１１    登録特徴記録部
１２    特徴照合部
【図１】
2004348407.tif 000003
【図２】
2004348407.tif 000004
【図３】
2004348407.tif 000005
【図４】
2004348407.tif 000006
【図５】
2004348407.tif 000007